(57)【特許請求の範囲】
【請求項１】
人工呼吸器に着脱可能な人工呼吸器対応眼鏡であって、前記人工呼吸器はマスクと取付け部とベルトとを有し、前記取付け部はスリットを有し前記マスクを使用者の鼻にセットしたとき眉間付近に位置付けられるよう前記マスクに設けられ、前記ベルトは前記スリットを通り前記マスクを使用者の鼻にセットしたとき使用者の頭部に固定可能に設けられ、
前記人工呼吸器対応眼鏡は、２つの支持部材とバネとを有し、各支持部材は、Ｖ字状に折れ曲がった形状を有し、一端にレンズが取り付けられ、各支持部材の長さ方向に対し垂直方向に伸びる軸部材により折れ曲がった角部で互いに回転可能に結合してあり、前記軸部材と各レンズとの間の互いに対向する位置に前記取付け部を互いの間に挟むための保持部を有し、前記バネは各保持部が互いに近づく方向に各支持部材を付勢するよう各支持部材の間に設けられていることを、
特徴とする人工呼吸器対応眼鏡。
【発明の詳細な説明】
【０００１】
【発明の属する技術分野】
本発明は、人工呼吸器に着脱可能な人工呼吸器対応眼鏡に関する。
【０００２】
【従来の技術】
従来、人工呼吸器を着用したまま眼鏡を掛けようとしても、人工呼吸器が邪魔になってテンプルを耳に掛けることができないため、眼鏡を掛けることができないという課題があった。
【０００３】
【発明が解決しようとする課題】
本発明は、このような従来の課題に着目してなされたもので、人工呼吸器を着用したままで掛けることができる人工呼吸器対応眼鏡を提供することを目的としている。
【０００８】
【課題を解決するための手段】
上記目的を達成するために、本発明に係る人工呼吸器対応眼鏡は、人工呼吸器に着脱可能な人工呼吸器対応眼鏡であって、前記人工呼吸器はマスクと取付け部とベルトとを有し、前記取付け部はスリットを有し前記マスクを使用者の鼻にセットしたとき眉間付近に位置付けられるよう前記マスクに設けられ、前記ベルトは前記スリットを通り前記マスクを使用者の鼻にセットしたとき使用者の頭部に固定可能に設けられ、前記人工呼吸器対応眼鏡は、２つの支持部材とバネとを有し、各支持部材は、Ｖ字状に折れ曲がった形状を有し、一端にレンズが取り付けられ、各支持部材の長さ方向に対し垂直方向に伸びる軸部材により折れ曲がった角部で互いに回転可能に結合してあり、前記軸部材と各レンズとの間の互いに対向する位置に前記取付け部を互いの間に挟むための保持部を有し、前記バネは各保持部が互いに近づく方向に各支持部材を付勢するよう各支持部材の間に設けられていることを、特徴とする。
【０００９】
本発明に係る人工呼吸器対応眼鏡は、バネの付勢力に抗して各支持部材を回転させて各保持部の間の間隔を広げ、各保持部で人工呼吸器の取付け部を互いの間に挟んで使用する。これにより、人工呼吸器を着用したままで掛けることができる。この場合、保持部で取付け部を挟んであるため、顔を動かしても落ちたりずれたりするのを防止することができる。使用しない場合には、各保持部の間の間隔を広げて各保持部を取付け部から外し、取り外すことができる。本発明に係る人工呼吸器対応眼鏡は、バネの付勢力で保持部が取付け部をしっかりと挟み、ずれ防止効果が高められている。
【００１０】
第４の本発明に係る人工呼吸器対応眼鏡は、人工呼吸器に着脱可能な人工呼吸器対応眼鏡であって、前記人工呼吸器はマスクと取付け部とベルトとを有し、前記取付け部はスリットを有し前記マスクを使用者の鼻にセットしたとき眉間付近に位置付けられるよう前記マスクに設けられ、前記ベルトは前記スリットを通り前記マスクを使用者の鼻にセットしたとき使用者の頭部に固定可能に設けられ、前記取付け部は呼吸器側磁性体を有し、前記人工呼吸器を使用者に取り付けたときレンズが使用者の目にセットされる状態で前記呼吸器側磁性体に吸着可能な眼鏡側磁性体を有することを特徴とする。呼吸器側磁性体と眼鏡側磁性体は、両方が永久磁石から成っても、一方が永久磁石で他方が鉄板から成ってもよい。
【００１１】
第４の本発明に係る人工呼吸器対応眼鏡は、眼鏡側磁性体を人工呼吸器の取付け部の呼吸器側磁性体に吸着させて使用する。これにより、人工呼吸器を着用したままで掛けることができる。この場合、眼鏡側磁性体が呼吸器側磁性体に吸着しているため、顔を動かしても落ちたりずれたりするのを防止することができる。使用しない場合には、眼鏡側磁性体の吸着力に抗して呼吸器側磁性体から眼鏡を引っ張れば、人工呼吸器から取り外すことができる。
【００１２】
第１乃至第４の人工呼吸器対応眼鏡の用途の代表的な例を挙げれば、目の屈折異常矯正用である。
【００１３】
【発明の実施の形態】
以下、図面に基づき、本発明の第１乃至第３の実施の形態について説明する。
図１乃至図７は、本発明の第１の実施の形態を示している。
図１に示すように、人工呼吸器対応眼鏡１０が、人工呼吸器１に着脱可能に取り付けられる。人工呼吸器１は、マスク２と取付け部３とベルト４と当て具（スペーサ）５とを有する。マスク２は、酸素吸入装置に接続可能なパイプ６を有し、使用者の鼻を覆うようになっている。取付け部３は、縦方向に伸びる２本のスリット７を有し、マスク２を使用者の鼻にセットしたとき眉間付近に位置付けられるようマスク２に一体的に設けられている。ベルト４は、スリット７を通りマスク２を使用者の鼻にセットしたとき使用者の頭部に固定可能に設けられている。当て具５は、ウレタン等の柔軟な材質から成り、取付け部３を挿入して取り付けるための溝孔８を有する。当て具５は、人工呼吸器１を着用したとき使用者の眉間付近に当たって人工呼吸器１を保持するための部材である。
【００１４】
図２乃至図７に示すように、人工呼吸器対応眼鏡１０は、フレーム１１のブリッジ１２の上部に、スリット７に着脱可能な係合部１３を有している。係合部１３は、２本のＵ字型の爪から成り、スリット７に差し込んで係合可能である。人工呼吸器対応眼鏡１０は、目の屈折異常矯正用の眼鏡である。
【００１５】
人工呼吸器対応眼鏡１０は、係合部１３を人工呼吸器１の取付け部３のスリット７に取り付けて使用し、人工呼吸器１を着用したままで掛けることができる。この場合、係合部１３がスリット７に取り付けられているため、顔を動かしても落ちたりずれたりするのを防止することができる。さらに、人工呼吸器対応眼鏡１０を人工呼吸器１の取付け部３に取り付けたならば、当て具５の溝孔８に取付け部３を挿入し、当て具５で係合部１３を押さえることができる。使用しない場合には、係合部１３をスリット７から外して、取り外すことができる。
【００１６】
図８および図９は、本発明の第２の実施の形態を示している。
図８および図９に示すように、人工呼吸器対応眼鏡２０が、人工呼吸器１に着脱可能に取り付けられる。人工呼吸器１は、第１の実施の形態で説明のものと同一の構成を有するため、重複した説明を省略する。
【００１７】
人工呼吸器対応眼鏡２０は、２つの支持部材２１と連結部材２２とを有する。各支持部材２１は、固定部材２３を介して一端にレンズ２４が取り付けられている。各支持部材２１は、連結部材２２の長さ方向に対し垂直方向に伸びる軸部材２５により中間部が連結部材２２の各端部に回転可能に結合してある。各支持部材２１は、連結部材２２と各レンズ２４との間の互いに対向する位置に取付け部３を互いの間に挟むための保持部２６を有する。保持部２６は、Ｕ字状の形状を有する。連結部材２２は、下部にマスク２に対する支持部２７を有する。
【００１８】
人工呼吸器対応眼鏡２０は、各支持部材２１を連結部材２２に対して回転させて各保持部２６の間の間隔を広げ、各保持部２６で人工呼吸器１の取付け部３を互いの間に挟んで使用する。これにより、人工呼吸器１を着用したままで掛けることができる。この場合、保持部２６で取付け部３を挟んであるため、顔を動かしても落ちたりずれたりするのを防止することができる。さらに、人工呼吸器対応眼鏡２０を人工呼吸器１の取付け部３に取り付けたならば、当て具５の溝孔８に取付け部３を挿入し、当て具５で支持部材２１および連結部材２２を押さえることができる。使用しない場合には、各保持部２６の間の間隔を広げて各保持部２６を取付け部３から外し、取り外すことができる。
【００１９】
図１０乃至図１４は、本発明の第３の実施の形態を示している。
図１０乃至図１４に示すように、人工呼吸器対応眼鏡３０が、人工呼吸器１に着脱可能に取り付けられる。人工呼吸器１は、第１の実施の形態で説明のものと同一の構成を有するため、重複した説明を省略する。なお、本実施の形態の人工呼吸器対応眼鏡の右側面図は、図１４に示す左側面図と対称に表れる。
【００２０】
人工呼吸器対応眼鏡３０は、２つの支持部材３１とバネ３２とを有する。各支持部材３１は、Ｖ字状に１回折れ曲がり、さらに反対側にＶ字状に１回折れ曲がった形状を有する。各支持部材３１は、フレーム３３を介して一端にレンズ３４が取り付けられている。各支持部材３１は、その長さ方向に対し垂直方向に伸びる軸部材３５により折れ曲がった角部山側で互いに回転可能に結合してある。また、各支持部材３１は、軸部材３５と各レンズ３４との間の互いに対向する位置の、折れ曲がった角部谷側付近に、取付け部３を互いの間に挟むための保持部３６を有している。保持部３６は、Ｕ字状の形状を有する。バネ３２は、各保持部３６が互いに近づく方向に各支持部材３１を付勢するよう、各支持部材３１の他端側、すなわち、軸部材３５を挟んでレンズ３４と反対側で、各支持部材３１の間に固定されている。
【００２１】
人工呼吸器対応眼鏡３０は、バネ３２の付勢力に抗して各支持部材３１を回転させて各保持部３６の間の間隔を広げ、各保持部３６で人工呼吸器１の取付け部３を互いの間に挟んで使用する。これにより、人工呼吸器１を着用したままで掛けることができる。この場合、保持部３６で取付け部３を挟んであるため、顔を動かしても落ちたりずれたりするのを防止することができる。さらに、人工呼吸器対応眼鏡３０を人工呼吸器１の取付け部３に取り付けたならば、当て具５の溝孔８に取付け部３を挿入し、当て具５で支持部材３１を押さえることができる。使用しない場合には、各保持部３６の間の間隔を広げて各保持部３６を取付け部３から外し、取り外すことができる。人工呼吸器対応眼鏡３０は、バネ３２の付勢力で保持部３６が取付け部３をしっかりと挟み、ずれ防止効果が高められている。
【００２２】
なお、人工呼吸器対応眼鏡は、磁力を用いて人工呼吸器１に着脱可能に取り付けられてもよい。すなわち、この場合、取付け部３は、呼吸器側磁性体として鉄製の台座を有する。人工呼吸器対応眼鏡は、人工呼吸器１を使用者に取り付けたときレンズが使用者の目にセットされる状態で台座に吸着可能な眼鏡側磁性体として、小型強力永久磁石を有する。この人工呼吸器対応眼鏡は、小型強力永久磁石を人工呼吸器１の取付け部３の台座に吸着させて使用する。これにより、人工呼吸器１を着用したままで掛けることができる。この場合、小型強力永久磁石が台座に吸着しているため、顔を動かしても落ちたりずれたりするのを防止することができる。使用しない場合には、小型強力永久磁石の吸着力に抗して台座から眼鏡を引っ張れば、人工呼吸器１から取り外すことができる。
【００２３】
【発明の効果】
本発明に係る人工呼吸器対応眼鏡によれば、人工呼吸器を着用したままで掛けることができる。
【図面の簡単な説明】
【図１】本発明の第１の実施の形態の人工呼吸器対応眼鏡を人工呼吸器とともに装着した状態を示す正面図である。
【図２】図１に示す人工呼吸器対応眼鏡の正面図である。
【図３】図１に示す人工呼吸器対応眼鏡の背面図である。
【図４】図１に示す人工呼吸器対応眼鏡の平面図である。
【図５】図１に示す人工呼吸器対応眼鏡の底面図である。
【図６】図１に示す人工呼吸器対応眼鏡の左側面図である。
【図７】図１に示す人工呼吸器対応眼鏡の右側面図である。
【図８】本発明の第２の実施の形態の人工呼吸器対応眼鏡の平面図である。
【図９】図８に示す人工呼吸器対応眼鏡の底面図である。
【図１０】本発明の第３の実施の形態の人工呼吸器対応眼鏡の正面図である。
【図１１】図１０に示す人工呼吸器対応眼鏡の背面図である。
【図１２】図１０に示す人工呼吸器対応眼鏡の平面図である。
【図１３】図１０に示す人工呼吸器対応眼鏡の底面図である。
【図１４】図１０に示す人工呼吸器対応眼鏡の左側面図である。
【符合の説明】
１  人工呼吸器
２  マスク
３  取付け部
４  ベルト
５  当て具（スペーサ）
６  パイプ
７  スリット
８  溝孔
１０，２０，３０  人工呼吸器対応眼鏡
１３  係合部
２１  支持部材
２２  連結部材
３１  支持部材
３２  バネ
【図１】
0003746945.tif 000002
【図２】
0003746945.tif 000003
【図３】
0003746945.tif 000004
【図４】
0003746945.tif 000005
【図５】
0003746945.tif 000006
【図６】
0003746945.tif 000007
【図７】
0003746945.tif 000008
【図８】
0003746945.tif 000009
【図９】
0003746945.tif 000010
【図１０】
0003746945.tif 000011
【図１１】
0003746945.tif 000012
【図１２】
0003746945.tif 000013
【図１３】
0003746945.tif 000014
【図１４】
0003746945.tif 000015